(57)【要約】      （修正有）【課題】釣り上げた魚を容易に針から外すことができる針外し機能を備えた釣り用の仕掛けを提供する。【解決手段】適宜な太さ及び長さのチューブ体６に、釣り針５と繋がる釣り糸を挿通し、チューブ体の先端から釣り針までの長さが十分である位置で、釣り糸とチューブ体が非固定状態で係止されてなり、係止手段としてチューブ体６の中間側面に透孔６１を形成し、チューブ体６を通過する釣り糸（第一ハリス４１）を、前記透孔６１の外側に位置する非通過の大きさの操作摘み（第一操作摘み）７と前記透孔を通して連結してなる。【選択図】図２
0003184953.tif 000002
【実用新案登録請求の範囲】
【請求項１】
適宜な太さ及び長さのチューブ体に、釣り針と繋がる釣り糸を挿通し、チューブ体の先端から釣り針までの長さが十分である位置で、釣り糸とチューブ体が非固定状態で係止されてなることを特徴とする釣り用仕掛け。
【請求項２】
チューブ体の中間側面に透孔を形成し、チューブ体を通過する釣り糸を、前記透孔の外側に位置する透孔非通過の大きさの操作摘みと前記透孔を通して連結し、釣り糸とチューブ体を非固定状態で係止してなる請求項１記載の釣り用仕掛け。
【請求項３】
チューブ体に、操作摘みと連結してなる第一の釣り糸と別に、釣り針と繋がる第二の釣り糸を挿通し、チューブ体より外れた位置で、第一の釣り糸と結着してなる請求項２記載の釣り用仕掛け。
【請求項４】
チューブ体に圧入可能なスナップリングを釣り糸の所定位置に介装し、チューブ体内に位置させた前記スナップリングで、釣り糸とチューブ体を非固定状態で係止してなる請求項１記載の釣り用仕掛け。
【考案の詳細な説明】
【技術分野】
【０００１】
本考案は、針外し機能を備えた釣り用仕掛けに関するものである。
【背景技術】
【０００２】
魚釣りに際して、釣り針に魚が食いついて釣り上げたのち、魚の口から針を外す必要がある。そして魚の種類によっては人の手が触ると傷みが進む魚もあり、またわざわざ魚を持って針を外す煩雑さがある。更に釣り針を口の奥に飲み込み外し難い場合が多い。そのため従来から魚に手を触れずに針を外すための器具が提案されている。
【０００３】
例えば特許文献１、２（特開２００５−１４３４１６号公報、登録実用新案第３１５０３８１号公報）には、先端部をハリスに添って移動させ、釣り針位置に達して魚の口の中に侵入させて魚から釣り針を外す器具（針外し）が示されている。
【０００４】
また特許文献３（特開平１０−１５０８８６号公報）には、ルアーに付属する釣り針を二股の開脚状態から閉脚状態になるようにルアーに対して進退自在に装着したルアーが開示されている。
【０００５】
然し独立した器具である針外しは、釣行に携帯する必要があり、使用に際しても携帯箇所から取り出して使用し、使用後はまた所定の場所（例えばチョッキのポケット等）にしまう必要があり、煩瑣な動作が要求される。また前記特許文献３に示されたように針外し機能を備えたルアーは、ルアー釣りに限定されてしまい、ルアーを使用しないエサ釣りには適用できない。
【０００６】
そこで本考案の出願人は、通常のエサ釣り・疑似餌釣りに使用することができる針外し機能を備えた新規な釣り用仕掛けを先に提案した（特許文献４：登録実用新案第３１７３３８０号公報）。
【０００７】
前記特許文献の器具は、チューブ体にハリスを挿通すると共に、チューブ体の先端から釣り針までの長さが十分である位置で、チューブ体の基端部分にハリスに固定し、チューブ体の側面の透孔から釣り針に結んだ針引き糸を引き出し、引出し端部を操作摘みと連結した仕掛けで、針に魚が掛かって釣り上げた後に操作摘みを引くと、針引き糸によって釣り針の結び目がチューブ体内に収納され、相対的にチューブ体が魚の口の中に侵入し、そこでチューブ体を上下左右に軽く揺すると、釣り針が魚から外れるようにしたものである。
【先行技術文献】
【特許文献】
【０００８】
【特許文献１】特開２００５−１４３４１６号公報。
【特許文献２】登録実用新案第３１５０３８１号公報。
【特許文献３】特開平１０−１５０８８６号公報。
【特許文献４】登録実用新案第３１７３３８０号公報。
【考案の概要】
【考案が解決しようとする課題】
【０００９】
本願の出願人が提案した特許文献４記載の釣り針外し機能を備えた釣り用仕掛けは、釣り糸（ハリス）を所定の一点でチューブ体に固定している。具体的にチューブ体にガン玉を圧入装着によって実現している。しかしガン玉がチューブ体より外れるとチューブ体が針引き糸の動作範囲でハリスに添って自由に移動してしまい、動揺する仕掛けは魚に対して注意を喚起することになり好ましくない。勿論前記仕掛けは、ハリスとチューブ体の固定が製造上煩瑣であるという課題もある。そこで出願人は更なる改良を提案したものである。
【課題を解決するための手段】
【００１０】
本考案の請求項１に係る釣り用仕掛けは、適宜な太さ及び長さのチューブ体に、釣り針と繋がる釣り糸を挿通し、チューブ体の先端から釣り針までの長さが十分である位置で、釣り糸とチューブ体が非固定状態で係止されてなることを特徴とするものである。
【００１１】
而して前記の仕掛けは、釣り対象の魚種に対応して、チューブ体の存在が不自然にならないようにその仕掛けの大きさ（仕掛けの種類、ハリスの太さ、針の大きさ、チューブ体の径、長さ及び材質）が決定され、サル管やより戻し更にテンビンなど仕掛け全体を構成する部材を介してミチイトに連結され、魚釣りに使用されるものである。
【００１２】
魚釣りの状態では、チューブ体と釣り糸が係止されているので、チューブ体が釣り糸（ハリス）の所定位置に留まっており、魚が掛かって釣り上げた後に、釣り糸をチューブ体内に引き込むと、釣り針の結び目がチューブ体内に収納されることになり、相対的にチューブ体が魚の口の中に侵入する結果となる。そこでチューブ体を上下左右に軽く揺することで、容易に釣り針を魚から外すことができる。
【００１３】
また本考案の請求項２に係る釣り用仕掛けは、釣り糸とチューブ体を非固定状態で係止する手段として、チューブ体の中間側面に透孔を形成し、チューブ体を通過する釣り糸（第一ハリス）を、前記透孔の外側に位置する透孔非通過の大きさの操作摘みと前記透孔を通して連結する構成を採用して、チューブ体を所定位置に留まるようにしたものである。
【００１４】
針に魚が掛かって釣り上げた後には、操作摘みを引くと、釣り糸（第一ハリス）が透孔よりチューブ体外に引き出され、釣り針の結び目がチューブ体内に収納され、針外しを行うことができたものである。
【００１５】
また本考案の請求項３に係る釣り用仕掛けは、前記の係止手段を採用すると共に、更に釣り針の引き込み構造を付加したもので、チューブ体に、操作摘みと連結してなる第一の釣り糸と別に、釣り針と繋がる第二の釣り糸（第二ハリス）を挿通し、チューブ体より外れた位置で、第一の釣り糸と結着してなるものである。
【００１６】
従って操作摘み（第一操作摘み）で第一ハリスを引き出して釣り針の結び目をチューブ体内に収納する他、チューブ体より竿側の第二ハリスをチューブ体より引き出すと、釣り針の結び目がチューブ体内に収納され、針外しを行うことができる。
【００１７】
また本考案の請求項４に係る釣り用仕掛けは、釣り糸とチューブ体を非固定状態で係止する手段として、チューブ体に圧入可能なスナップリングを釣り糸の所定位置に介装する構成を採用して、チューブ体内に位置するスナップリングの反発力でチューブ体が釣り糸の途中の所望位置に留まるようにしたものである。
【００１８】
従って針に魚が掛かって釣り上げた後には、竿側の釣り糸（第一ハリス）をスナップリングと共にチューブ体外に引き出すと、釣り針の結び目がチューブ体内に収納され、針外しを行うことができたものである。
【考案の効果】
【００１９】
本考案の構成は前記のとおりで、通常のエサ釣りの仕掛けや疑似餌釣りの仕掛け自体に針外し機能を備えさせてなるもので、針外し器具を携帯する必要が無く、魚を釣った後の処置が容易であり、便利な仕掛けを提供できたものである。
【図面の簡単な説明】
【００２０】
【図１】本考案をキスの投げ釣り仕掛けとした例の全体図。
【図２】同要部（第一実施例）の正面図（魚釣り時の状態）。
【図３】同図（針外し時の状態）。
【図４】同要部（第二実施例）の正面図（魚釣り時の状態）。
【図５】同図（第一の操作手段による針外し時の状態）。
【図６】同図（第二の操作手段による針外し時の状態）。
【図７】同要部（第三実施例）の正面図（魚釣り時の状態）。
【図８】同図（針外し時の状態）。
【考案を実施するための形態】
【００２１】
次に本考案の実施形態について説明する。実施形態に示した仕掛けは、主としてキス釣り等に用いる仕掛けを例示したもので、通常の仕掛けと同様に、例えばミチイトの先のテンビン（重り付き）３に連結する仕掛けであって、ミキイト１の基端により戻し２を設け、ミキイト１に適宜間隔でハリス部４を結び、ハリス部４の先に通常通り釣り針５を結びつけるものであるが、本考案は、特に針外し機能を備えた針外し部を備えているものである。
【００２２】
図２，３は針外し部の第一実施例である。この実施例では、特にハリス部４が、ミキイト１に結着された第一ハリス４１と、第一ハリス４１の先端に結び付けたハリス止め４４と、釣り針５に結び付けた第三ハリス４３で構成され、第三ハリス４３をハリス止め４４に繋いでいるものである。
【００２３】
更に針外し部としてチューブ体６と、第一操作摘み７を備えているもので、チューブ体６は、キス釣り仕掛けの場合には、φ３ｍｍ、長さ５〜６ｃｍ程度の樹脂製細管であり、第一ハリス４１を挿通してなる。
【００２４】
前記のチューブ体６の中間側面に側面適宜位置に透孔６１を形成し、第一操作摘み７は、前記透孔６１を通過しない大きさとしたもので、チューブ体６の先端から釣り針５までの長さが十分（１〜２ｃｍ）である位置において、チューブ体６内を通過する第一ハリス４１の途中を、透孔６１から引き出し、前記第一操作摘み７に連結するものである。
【００２５】
而して前記の仕掛けは、通常の仕掛け同様にミチイトに結び付けて使用するもので、釣り針５にエサを付け、砂浜海岸などからの投げ釣りを行うもので、魚が連れた際には、第一操作摘み７を引くと、第一ハリス４１がチューブ体６の外方に引き出され、第三ハリス４３及びハリス止め４４がチューブ体６に収納され、チューブ体６が魚の口の中に侵入する。そこでチューブ体６を上下左右に軽く揺することで、釣り針５を魚から簡単に外すことができるものである。
【００２６】
図４，５，６は針外し部の第二実施例である。この実施例では、特にハリス部４ａが、ミキイト１に結着された第一ハリス４１と、第一ハリス４１と並列に設けた第二ハリス４２と、第一ハリス４１及び第二ハリス４２の先端に結び付けたハリス止め４４と、釣り針５に結び付けた第三ハリス４３で構成され、第三ハリス４３をハリス止め４４に繋いでいるものである。
【００２７】
針外し部としてチューブ体６と、第一操作摘み７は、前記第一実施例同様の構成である。
【００２８】
また第二ハリス４２は、第一ハリス４１と同様にチューブ体６を通し、チューブ体６より外れた竿側に第二操作摘み８を連結したものである。
【００２９】
而して前記の第二実施例は、前記第一実施例と同様に、通常の仕掛けに組み入れるもので、魚が釣れた際には、第一操作摘み７を引くと、第一実施例の場合と同様に第一ハリス４１がチューブ体６の外方に引き出され、釣り針５の基部（ハリス結着側）がチューブ体６に収納され、針外しを行うものであり、特に第一操作摘み７に替えて、第二操作摘み８を竿側にチューブ体６より引き出すと、釣り針の結び目をチューブ体内に収納して針外しを行うことができることになる。
【００３０】
図７，８は針外し部の第三実施例である。この実施例はハリス部４ｂが、ミキイト１に結着された第一ハリス４１と、釣り針５に結び付けた第二ハリス４２と、第一ハリス４１と第二ハリス４２を連繋するスナップリング４５で構成され、更に針外し部としてチューブ体６ａを備えてなるものである。
【００３１】
チューブ体６ａは、スナップリング４５を圧入しても充分な耐久力を備えた硬度を有する材質のものを採用し、スナップリング４５は、チューブ体６ａ内で位置した際に、チューブ体６ａを仕掛けとして移動せず、且つある程度の力を以て引抜が可能である弾性力を備えた部品を使用するものである。
【００３２】
而してチューブ体６ａ内にスナップリング４５を位置させた状態で魚釣りを行い、釣り針５に魚が掛かって釣り上げた後には、第一ハリス４１を竿側に引っ張って、スナップリング４５と共にチューブ体６ａの外に引き出すと、釣り針５の結び目がチューブ体６ａの内側に収納され、針外しを行うことができるものである。
【００３３】
尚前記実施形態はキス釣りの仕掛けを例として説明したが、対象の魚種に応じての基本的な仕掛け（各種天秤の使用、コマセ籠の使用、サビキの使用等）を採用した場合に、そのハリス部分に更に本考案の針外し部を組み込むものであり、その針外し部も、対象の魚種に応じてチューブ体６，６ａの径や長さ、材質の選択、ハリス部４，４ａ，４ｂの構成等は、任意に定めることができるものである。
【符号の説明】
【００３４】
１      ミキイト
２      より戻し
３      テンビン
４，４ａ，４ｂ      ハリス部
４１      第一ハリス
４２      第二ハリス
４３      第三ハリス
４４      ハリス止め
４５      スナップリング
５      釣り針
６，６ａ      チューブ体
６１      透孔
７      第一操作摘み
８      第二操作摘み
【図１】
0003184953.tif 000003
【図２】
0003184953.tif 000004
【図３】
0003184953.tif 000005
【図４】
0003184953.tif 000006
【図５】
0003184953.tif 000007
【図６】
0003184953.tif 000008
【図７】
0003184953.tif 000009
【図８】
0003184953.tif 000010